(57)【要約】【課題】コンテンツの圧縮、記録操作において、ユーザの煩雑な操作を大幅に軽減できるコンテンツ記録システムを提供する。【解決手段】コンテンツの属するグループを検出する検出手段と、コンテンツの属するグループの優先順位であるグループ間優先順位に関する指示を受け付けるグループ順位取得手段と、を備える。取得したコンテンツが記憶手段５の記憶容量より多い場合は、優先順位の低いものからコンテンツを圧縮する。記憶手段５の記憶容量に収まるように圧縮して記録できるので、３つのグループのグループ間優先順位を指示するのみで、８個のコンテンツの記録が行われる。【選択図】図１
2007273020.tif 000002
【特許請求の範囲】
【請求項１】
外部からコンテンツを取得する取得手段と、
前記取得したコンテンツの属するグループを検出する検出手段と、
コンテンツの属するグループの優先順位であるグループ間優先順位に関する指示を受け付けるグループ順位取得手段と、
前記取得したコンテンツを圧縮する圧縮符号化変換手段と、
前記圧縮されたコンテンツまたは／および前記取得した非圧縮のコンテンツを記憶する記憶手段と、
前記グループ順位取得手段で受け付けたグループ間優先順位および前記記憶手段の記憶残容量に応じて、前記圧縮符号化変換手段での圧縮率を調整する制御手段と、
を備えるコンテンツ記録システム。
【請求項２】
前記制御手段は、前記記憶手段の記憶残容量が少ない場合、前記グループ順位取得手段で受け付けたグループ間優先順位が低いときに、圧縮率を大きくするよう調整する、
請求項１に記載のコンテンツ記録システム。
【請求項３】
コンテンツの記録予約を受け付ける予約受付手段をさらに備え、
前記制御手段は、前記予約受付手段で受け付けた記録予約で指定されたコンテンツを記憶するのに要する容量と前記記憶手段の記憶残容量とを比較して、前記コンテンツを記憶するのに要する容量の方が大きい場合、前記記憶手段の記憶残容量は少ないと判断する、
請求項２に記載のコンテンツ記録システム。
【請求項４】
外部からコンテンツを取得する取得手段と、
前記取得したコンテンツの属するグループを検出する検出手段と、
前記取得したコンテンツを圧縮する圧縮符号化変換手段と、
前記圧縮されたコンテンツまたは／および前記取得した非圧縮のコンテンツを記憶する記憶手段と、
前記記憶手段の記憶容量について、コンテンツの属するグループ毎の記憶許容容量に関する指示を受け付ける容量受付手段と、
前記記憶手段で記憶されるコンテンツのグループ毎の容量の合計が前記容量受付手段で受け付けたグループ毎の記憶許容容量に収まるように、前記圧縮符号化変換手段での圧縮率を調整する制御手段と、
を備えるコンテンツ記録システム。
【請求項５】
コンテンツ毎の優先順位であるコンテンツ間優先順位に関する指示を受け付けるコンテンツ順位取得手段をさらに備え、
前記制御手段は、前記コンテンツ間優先順位が低いとき、圧縮率を大きくするように前記圧縮符号化変換手段での圧縮率を調整する、
請求項４に記載のコンテンツ記録システム。
【発明の詳細な説明】
【技術分野】
【０００１】
本発明は、圧縮可能なディジタル映像音声コンテンツを記録するコンテンツ記録システムに関する。
【背景技術】
【０００２】
近年、車に搭載される映像音声記録再生機器、人が持ち運べる可搬型の映像音声記録再生機器（モバイルノート、PDA、AV記録再生機能がついた携帯電話）にて、ディジタル映像音声コンテンツを外部に持ち出せる機会が多くなってきている。一方で、家庭内据え置き型の映像音声記録再生機器として、ハードディスクレコーダーやDVDレコーダー等が普及し、ハイビジョン放送、地上ディジタル放送、BSディジタル放送等のディジタル放送コンテンツをディジタルデータのままで記録できるようになってきた。このような機器では、電子番組情報：EPGにてディジタル放送コンテンツのコンテンツ情報も容易に取得することができ、これらコンテンツ情報を用いて、ユーザに嗜好を指定させ、嗜好に応じて自動的にディジタル放送コンテンツを記録できるようにもなってきている。音声コンテンツについても、その楽曲情報を、ネットワークを通じて、取得できるようになってきている。
【０００３】
このように、家庭内/外でディジタル映像音声コンテンツとそれに関わるコンテンツ情報が容易に扱えるようになり、ディジタル映像音声コンテンツをいろんな場所で楽しめるようになってきている。
【０００４】
ところで、家庭内据え置き型の映像音声記録再生機器で記録したディジタル放送コンテンツ（以下、コンテンツと記す）を可搬型の映像音声記録再生機器に記録して、家庭外で視聴しようとした場合、視聴に使用する記録メディア（DVD-RAM,DVD-R,半導体メモリ等）に予めコンテンツを保存して、その記録メディアを可搬型の映像音声記録再生機器で使用できるようにする必要がある。または、可搬型の映像音声記録再生機器において、本体内に記録メディアがある場合には、家庭内据え置き型の映像音声記録再生機器に物理的に接続してコンテンツをコピーおよびムーブを行う必要がある。そのとき、事前にユーザが家庭内据え置き型の映像音声記録再生機器に記録された数多くのコンテンツの中から視聴したいコンテンツを個々に選択し、記録メディアの記憶容量を考えて記録可能かどうか、圧縮処理が必要かどうかを判断しながら、該当記録メディアにコピー、ムーブしなくてはならない。機器間でのコンテンツのコピー、ムーブには、このような煩わしい操作を繰り返し行わなくてはいけないという課題がある。
【０００５】
この煩わしさを解決するための技術が提案されている。例えば、特許文献１に開示されているような技術が存在する。特許文献１では、コンテンツを提供する機器からのユーザ嗜好情報に基づいて、効率的に機器へのコンテンツ送信（記録）を行うようにしている。
【特許文献１】特開２００５−７１５０９号公報
【発明の開示】
【発明が解決しようとする課題】
【０００６】
しかしながら、上記特許文献１に記載の技術では、ユーザの嗜好によりコンテンツの取得は行われるが、コンテンツ取得時の記憶容量によって取得できるコンテンツ数に制限が、かかってしまう。この容量の制限を解消するため、ユーザの嗜好に応じて個々のコンテンツを圧縮して送ることも可能だが、ユーザにどのコンテンツをどの位の圧縮をかけるのかもユーザに個々に判断させ、機器の操作を行わせる等、ユーザに操作の煩わしさを増加させてしまう。
【０００７】
本発明の目的は、ユーザが予め指示した内容に基づき、コンテンツを記録する際に必要となる記憶容量と記録メディアの残記憶容量との関係を用いて、ユーザに、その操作の煩わしさを低減することを目的とする。
【課題を解決するための手段】
【０００８】
上記課題を解決するため、本発明では、第一に、外部からコンテンツを取得する取得手段と、コンテンツの属するグループを検出する検出手段と、コンテンツの属するグループの優先順位であるグループ間優先順位に関する指示を受け付けるグループ順位取得手段と、
コンテンツを圧縮する圧縮符号化変換手段と、前記圧縮されたコンテンツまたは/および前記取得した非圧縮のコンテンツを記憶する記憶手段と、を備えることにより、コンテンツの属するグループ間優先順位に基づき課題点の解決をはかる。さらに、コンテンツ記録予約を受け付ける予約受付手段と、を備えることにより、予約を受け付けたコンテンツの記憶容量と前記記憶手段の記憶残容量との比較により、圧縮率を大きくするように調整することで課題点の解決をはかる。
【０００９】
第二に、外部からコンテンツを取得する取得手段と、コンテンツの属するグループを検出する検出手段と、コンテンツを圧縮する圧縮符号化変換手段と、前記圧縮されたコンテンツまたは/および前記取得した非圧縮のコンテンツを記憶する記憶手段と、前記記憶手段の記憶容量について、コンテンツの属するグループ毎の記憶許容容量に関する指示を受け付ける容量受付手段と、を備えることにより、コンテンツをグルーピングし、グループ毎の記憶容量に基づき課題点の解決をはかる。さらに、コンテンツ間優先順位に関する指示を受け付けるコンテンツ順位取得手段と、を備えることにより、グループの各コンテンツ間で、そのコンテンツ間優先順位により、圧縮率を大きくするように調整することで課題点の解決をはかる。
【発明の効果】
【００１０】
本発明のコンテンツ記録システムによれば、従来必要であったコンテンツ個別の圧縮、記録操作を、システム側で代行できるため、ユーザの煩雑な操作が大幅に軽減できる。
【００１１】
より詳細には、第一に、外部からコンテンツを取得手段にて取得し、取得したコンテンツが属するグループを検出手段で検出し、グループ順位取得手段にて取得したグループ間優先順位、記録時の記憶手段の記憶残容量に応じて、圧縮符号化変換手段により、そのグループに属するコンテンツの圧縮率がグループ間優先順位に応じて調整され記録される。また、予約受付手段により記録予約で指定されたコンテンツを記憶するのに要する容量と記憶手段の記憶残容量に応じて、圧縮符号化変換手段により予約されたコンテンツの圧縮率が調整され記録される。
【００１２】
第二に、外部からコンテンツを取得手段にて取得し、取得したコンテンツが属するグループを検出手段で検出し、容量受付手段にて受け付けたグループ毎の記録許容容量に収まるように圧縮符号化変換手段によりコンテンツの圧縮率が調整され記録される。また、コンテンツ順位取得手段にて取得したコンテンツの優先順位、記録時のグループ毎の記録許容容量に応じて、圧縮符号化手段によりコンテンツの圧縮率が調整され記録される。
【００１３】
このように、本コンテンツ記録システムでは、予め、グループ間優先順位の取得、及び、記録予約の受付や、または、グループ毎の記録容量の受付、及び、コンテンツ間優先順位の取得により、課題となるコンテンツの記録に際してのユーザ操作を低減し、操作からくる煩わしさを大幅に解消している。
【発明を実施するための最良の形態】
【００１４】
（実施の形態１）
実施の形態１では、コンテンツの属するグループ間優先順位に基づき、圧縮・記録するコンテンツ記録システムを説明する。
【００１５】
図１は、本発明の実施の形態１における、コンテンツ記録システムの構成図である。
本コンテンツ記録システムは、取得手段１、検出手段２、グループ順位取得手段３、圧縮符号化変換手段４、記憶手段５、制御手段６から構成される。取得手段１は、外部からコンテンツを取得する手段である。
【００１６】
放送電波の受信、他の映像音声記録再生機器で記録された記録メディアからのデータの読み出し、ネットワークでのストリーミング、および、ダウンロードによりコンテンツを取得する。なお、コンテンツに関わる情報であるコンテンツ情報も取得手段１にて取得する。
【００１７】
検出手段２は、取得したコンテンツの属するグループを検出する手段である。コンテンツ情報（電子番組情報、楽曲情報から得たもので、ジャンル名、タイトル名、著作者、演奏者、歌手、コンテンツの作成年等からなる）から相当なものをグループの識別キーとして用い、コンテンツのグループを検出する。
【００１８】
グループ順位取得手段３は、グループ間優先順位を、ユーザからキー入力等の直接、および、ネットワーク等の間接的に指示を受付、取得する。
【００１９】
圧縮符号化変換手段４は、取得したコンテンツを圧縮する手段である。例えば、ビットレート：15MbpsのMPEG-2のコンテンツをビットレート：4Mbpsに圧縮符号化変換（再エンコード）が、これにあたる。
【００２０】
記憶手段５は、圧縮されたコンテンツまたは/および取得した非圧縮のコンテンツを記憶する手段である。例えば、システム内のDRAM/フラッシュROM等のメモリ素子への記憶、ハードディスク、DVD-RAM/DVD-R/CD-R/SDカード等の記録メディアへの記録、ネットワーク越しの他の機器への記憶が、これにあたる。
【００２１】
次に、図２から図７をさらに参照して、上記構成によるコンテンツ記録システムで制御手段６にて行われる圧縮、記録動作を説明する。
【００２２】
図３は、本説明で用いるグループ間順位取得手段３にて、受け付けた指示内容の例である。コンテンツ情報の中でジャンルをコンテンツのグループ分けを行うキーとし、グループ間優先順位を１，２，３であらわしている。１が、優先順位が一番高く、順に２，３とグループ間優先順位づけをしている。図４は、取得可能なコンテンツとそのコンテンツ情報である。コンテンツ情報は、EPG（Electric  Program Guide）、iEPG(internet EPG)やADAMS-EPG(TV-Asahi Data and Multimedia Service-EPG)等にて、コンテンツと同様に取得手段１にて取得できる。図５は、図４に示した取得可能なコンテンツ、および、コンテンツ情報の中から、検出手段２にて検出したコンテンツとそのコンテンツ情報、該当グループ間優先順位を示したものである。ジャンル名をグループづけのキーとして用い、グループ間優先順位を、スポーツ（優先順位：１）、バラェティ（優先順位：２）、ドラマ（優先順位：３）、とし、検出手段２により図に示したコンテンツが検出されている。図６は、記憶手段５に記録する時のコンテンツの記録モード（圧縮比率（記録時間比率））を示したものである。ここでは、略号でＸＰ、ＳＰ、ＬＰ、ＥＰであらわしている。XP：１に対し、SP,LP,EPでそれぞれ、２，４，８となっている。図７は、記憶手段５での記録状態を模式的に示したものである。なお、動作の説明にあたって、記憶手段５にて記録できるコンテンツの記憶容量は、ＬＰ換算で約１０時間分の記録可能であるものとする。
【００２３】
図２は、説明するコンテンツ記録システムでの圧縮、記録処理手順の概略を示すフローチャートである。
【００２４】
Ｓ２０１：グループ間優先順位の受付、Ｓ２０２：コンテンツの取得、Ｓ２０３：コンテンツの属するグループの検出、Ｓ２０４：圧縮の決定、Ｓ２０５：コンテンツの圧縮、Ｓ２０６：記録完了の確認、の処理からなり、以下、これらの各処理を説明する。
【００２５】
Ｓ２０１  グループ間優先順位の受付：制御手段６は、グループ順位取得手段３によって、直接的、および間接的に、記録するコンテンツのグループ間優先順位の指示を受け付ける。図３に示すとおり、コンテンツのジャンル名をキーとしてグループ間優先順位を受け付ける。スポーツ（優先順位１）＞バラェティ（優先順位２）＞ドラマ（優先順位３）のグループ間優先順位が指示される。
【００２６】
Ｓ２０２  コンテンツの取得：制御手段６は、取得手段１によって、外部から図４に示したコンテンツ及びコンテンツ情報の取得を開始する。
【００２７】
Ｓ２０３  コンテンツの属するグループの検出：制御手段６は、検出手段２によって、取得したコンテンツの属するグループを検出する。図３にあげたコンテンツ名：スポーツ番組１、スポーツ番組２、トーク番組１、クイズ番組１、音楽番組１、ドラマ１、ドラマ２、ドラマ３のグループとして、スポーツ、バラェティ、ドラマが検出される。
【００２８】
Ｓ２０４  圧縮の決定：制御手段６は、検出手段２で検出したコンテンツのグループ間優先順位と記憶手段５の空き容量を確認する。グループ間優先順位、及び、記憶手段５の記憶残容量に応じて、圧縮符号化変換手段４での圧縮率を調整する。本説明では、グループ間優先順位の一番低いものに対してのみ圧縮を行い、記憶手段５の記憶残容量にあわす処理内容で説明をつづける。
【００２９】
Ｓ２０５  コンテンツの圧縮：記憶手段５の空き容量が少ない場合は、検出したコンテンツの属するグループのグループ間優先順位に従い圧縮する。図６に示した圧縮率が選択できるとする。
【００３０】
Ｓ２０６  記録完了：制御手段６は、図３に示すように受け付けたグループ間優先順位に該当するコンテンツが全て検出され、記憶手段５に記録されたかを確認する。記録されている場合は、記録を完了する。記録が未完了であれば、Ｓ２０２へ戻る。
【００３１】
制御手段６において、Ｓ２０１の処理により、ジャンル名：スポーツ、バラェティ、ドラマのコンテンツが、検出のキーとして、予め、本コンテンツ記録システムに設定する。
Ｓ２０３の処理により、図５に示すようなコンテンツが検出される。
【００３２】
Ｓ２０３、Ｓ２０４、Ｓ２０５、Ｓ２０６および、Ｓ２０３、Ｓ２０４、Ｓ２０６の検出したコンテンツに対する記録処理は、以下のように行われる。優先順位１のスポーツ番組１、スポーツ番組２は、記録モードが、それぞれ、LP、LPのまま再圧縮せずに記録される。優先順位２のトーク番組１、クイズ番組１、音楽番組１は、記録モードが、それぞれ、SP、LP、SPのまま再圧縮せずに記録される。
【００３３】
この時点で、記憶手段５の記録許容量：１０時間に対して、７時間分の記録が終わったことになる。
【００３４】
優先順位３のドラマ１，２，３は、トータルの時間が４時間となるため３時間分の記録容量となるようにしないといけない。つまり、１時間分の記憶容量の圧縮が必要となる。ドラマ１，２，３とも記録モードがLPで圧縮率はLPからEPへの調整（再圧縮）が可能である。まず、ドラマ３を圧縮する。図６に示す圧縮比率より３０分圧縮できる。残り、30分の記憶容量の圧縮が必要のため、ドラマ２を同様に圧縮する。これで、１時間分圧縮でき、優先順位３のグループ：ドラマ１，２，３の記録時間は、２時間３０分となり、既に記録している７時間分と合わせて、９時間３０分となり、最大記録可能時間：１０時間に収まり（図７のｂ）の状態）、これで検出した全コンテンツが記録可能となる。
【００３５】
以上、本発明の実施の形態１に係るコンテンツ記録システムによれば、取得したコンテンツが記憶手段５の記憶容量より多い場合は、優先順位の低いものからコンテンツを圧縮する。記憶手段５の記憶容量に収まるように圧縮して記録できるので、３つのグループのグループ間優先順位を指示するのみで、８個のコンテンツの記録が行われる。このように、本コンテンツ記録システムにおいては、ユーザに個々のコンテンツの記憶容量の調整を、随時、行いながらコンテンツを移動するという煩雑な操作を大幅に低減でき、その利便性は従来のものと比べ大幅に改善できる。
【００３６】
なお、上記説明では、グループ間優先順位が一番低いものに対してのみ、圧縮率を下げて記憶容量の調整を行ったが、グループ間優先順位に応じて大きな圧縮率を用いるように調整するようにしても良い。また、上記説明では、コンテンツを一括して取得、検出し、コンテンツのグループ毎に記録、圧縮処理を行ったが、グループ単位毎に検出、圧縮して記録する処理であってもよい。
【００３７】
（実施の形態２）
次に、実施の形態２では、コンテンツの予約記録の場合のコンテンツ記録システムについて説明する。
【００３８】
図８は、本発明の実施の形態２におけるコンテンツ記録システムの構成図である。
本コンテンツ記録システムは、実施の形態１の取得手段１、検出手段２、グループ順位取得手段３、圧縮符号化変換手段４、記憶手段５、制御手段６に加え、予約受付手段７から構成される。取得手段１、検出手段２、グループ間優先順位手段３、圧縮符号化手段４、記憶手段５は実施の形態１と同様である。
【００３９】
予約受付手段７は、コンテンツの放映日時等の記録予約に必須な情報を、コンテンツ情報（電子番組情報、楽曲情報から得たもので、コンテンツの放映時間、ジャンル名、タイトル名、著作者、演奏者、歌手、記録モードコンテンツの作成年等からなる）から間接的に、また、キー入力等から直接的に指示を受け付ける手段である。
【００４０】
次に、実施例１で用いた図３、図４、図６と後述する図９、図１０をさらに参照して、上記構成によるコンテンツ記録システムで制御手段６にて行われる予約記録を説明する。図９は、本実施の形態２における、予約記録前と後での記憶手段５での記憶状態を示す。図１０は、本実施の形態２における、予約受付手段７にて受け付けたコンテンツ予約情報を示したものである。コンテンツ名：ドラマ１，２，３が予約されたコンテンツであることを示している。
【００４１】
なお、説明にあたって、記憶手段５は、図９のa)に示したように、既に、スポーツ番組１、２、音楽番組１、クイズ番組１、トーク番組１が、記録されているものとする。つまり、記憶手段５の記憶最大容量（LP換算時）：１０時間に対し、７時間が既に使用されているものとする。
【００４２】
予約受付手段７において、図１０に示した予約記録情報を受付ける。記録予約に必要な記憶容量がLP換算時で４時間分であり、記憶手段５の残記憶容量（LP換算時）3時間に対して大きく、記憶手段５の記憶残容量は少ない。前記記録予約のコンテンツの圧縮率：記録モードLP（圧縮比率：４）をEP（圧縮比率：８）に大きくする。図６に示した圧縮比により、LP換算時：４時間分の記憶容量が２時間分の記憶容量で済むことになる（図９のｂ）の状態）。
【００４３】
以上、本発明の実施の形態２に係るコンテンツ記録システムによれば、従来でも必要な記録予約の受付に要する操作のみで、記憶手段５の残記憶容量に応じて、３つのコンテンツの記録モードを設定して予約記録する操作を省くことができ、煩雑なユーザ操作を自動化でき、その利便性は従来のものと比べ大幅に改善できる。
【００４４】
なお、上記説明では、記録予約を受付けたコンテンツのみを圧縮して、記録を行わせたが、既に受付けているグループ優先順位に従って、各グループのコンテンツの圧縮率を大きくして、再記録してから、記録予約したコンテンツを取得、記録しても良い。
【００４５】
（実施の形態３）
次に、実施の形態３では、グループ毎に記憶許容容量を設け、グループ毎の記憶容量がその記憶許容容量に収まるように圧縮符号化変換手段でコンテンツを圧縮、記録する場合のコンテンツ記録システムを説明する。
【００４６】
図１１は、本発明の実施の形態３におけるコンテンツ記録システムの構成図である。
本コンテンツ記録システムは、実施の形態１の取得手段１、検出手段２、圧縮符号化変換手段４、記憶手段５、制御手段６に加え、容量受付手段８から構成される。取得手段１、検出手段２、圧縮符号化手段４、記憶手段５は実施の形態１、２と同様である。
【００４７】
容量受付手段８は、記録するコンテンツの属するグループ毎の記憶許容容量をキー入力等から直接的、また、ネットワーク等から間接的に指示を受け付ける手段である。
【００４８】
次に、実施例１で用いた図６と後述する図１３、図１４、図１５をさらに参照して、上記構成によるコンテンツ記録システムで制御手段６にて行われる記録を説明する。
【００４９】
図１３は、容量受付手段８にて受け付けた指示内容の例である。コンテンツ情報の中でジャンルをコンテンツのグループ分けを行うキーとし、それぞれのグループに対して記憶手段５での最大記憶許容容量を図に示したように割り当てとする。スポーツ：４時間、バラェティ：２時間、ドラマ：３時間、その他：１時間である。
【００５０】
図１４は、取得可能なコンテンツとそのコンテンツ情報である。図１５は、記憶手段５での記録状態を模式的に示したものである。図１２は、圧縮、記録処理手順の概略を示すフローチャートである。
【００５１】
各処理は、Ｓ４０１：記憶許容容量の受付、Ｓ４０２：コンテンツの取得、Ｓ４０３：コンテンツの属するグループの検出、Ｓ４０４：空き容量の確認、Ｓ４０５：コンテンツの圧縮、Ｓ４０６：記録完了の確認、であり、以下、これらの各処理を説明する。
【００５２】
Ｓ４０１  記憶許容容量を受付：制御手段６は、容量受付手段３によって、直接的、および間接的に、本コンテンツ記録システムに対する各グループの記憶許容容量の指示を受け付ける。図１３に示すとおり、コンテンツのジャンル名をキーとしてグループ毎に最大許容容量を指示する。ジャンル名：スポーツのグループ  ４時間、ジャンル名：バラェティのグループ  ２時間、ジャンル名：ドラマのグループ  ３時間、ジャンル名：その他のグループ  １時間の指示を受付けたとする。
【００５３】
Ｓ４０２  コンテンツの取得：制御手段６は、取得手段１によって、外部からコンテンツの取得を開始する。図１４に示したコンテンツとそのコンテンツ情報を取得する。
【００５４】
Ｓ４０３  コンテンツの属するグループの検出：制御手段６は、検出手段２によって、コンテンツの属するグループを検出する。スポーツ番組１、２は、ジャンル名：スポーツのグループ、トーク番組１、クイズ番組１、音楽番組１が、ジャンル名：バラェティのグループ、ドラマ１，２，３が、ジャンル名：ドラマのグループ、ニュース番組１が、ジャンル名：その他のグループに分けられる。
【００５５】
Ｓ４０４  圧縮の決定：制御手段６は、検出手段２で検出したコンテンツをグループ毎に記録するときに必要となる記憶容量を求める。求めたグループ毎の記憶容量が各グループの最大許容容量を超えている場合は、そのグループ全体を圧縮する。
【００５６】
Ｓ４０５  コンテンツの圧縮：記憶手段５の空き容量が少ない場合は、取得したコンテンツを圧縮する。図６に示した圧縮率が選択できるとする。
【００５７】
Ｓ４０６  記録完了：制御手段６は、図１４に示したコンテンツが全て取得、記録されたかを確認する。記録されている場合は記録を完了する。記録が未完了であれば、Ｓ４０２へ戻る。
【００５８】
制御手段６において、Ｓ４０１の処理により、図１３に示したジャンル名：スポーツのグループ、ジャンル名：バラェティのグループ、ジャンル名：ドラマのグループ、ジャンル名：その他のグループの最大記憶許容容量が予め本コンテンツ記録システムに設定される。Ｓ４０２の処理により、図１４に示すようなコンテンツが取得される。
【００５９】
Ｓ４０３、Ｓ４０４、Ｓ４０５、Ｓ４０６および、Ｓ４０３、Ｓ４０４、Ｓ４０６の取得したコンテンツに対する記録処理は、以下のように行われる。
【００６０】
ジャンル名：スポーツのグループのコンテンツ：スポーツ１、スポーツ２は、記録モードが、それぞれ、LP、LPで、最大記憶許容容量：４時間に対して、コンテンツの記録に必要な記憶容量（LP換算時）が、２時間＋２時間＝４時間となるので、そのまま圧縮せずに記録する。
【００６１】
ジャンル名：バラェティのグループのコンテンツ：トーク番組１、クイズ番組１、音楽番組１は、記録モードが、それぞれ、SP、LP、SPで、最大記憶許容容量：２時間に対して、コンテンツの記録に必要な記憶容量（LP換算時）が、２時間＋１時間＋１時間＝４時間となるので、圧縮率をあげ、それぞれ、トーク番組１のSPをLPに、クイズ番組LPをEPに、音楽番組SPをLPにする。この圧縮率の調整により、必要な記憶容量が４時間から２時間＝２/(４/２)＋１/（８/４）＋１/(４/２)時間となる。
【００６２】
ジャンル名：ドラマのグループのコンテンツ：ドラマ１、ドラマ２、ドラマ３は、記録モードが、それぞれ、LP、LP、LPで、最大記憶許容容量：３時間に対して、コンテンツの記録に必要な記憶容量（LP換算時）が、１時間＋２時間＋１時間＝４時間となるので、圧縮率をあげ、それぞれ、ドラマ１，２，３のLPをEPにする。この圧縮率の調整により、必要な記憶容量が４時間から２時間＝（１時間＋２時間＋１時間）/(８/４)になる。
ジャンル名：その他のグループのコンテンツ：ニュース番組１は、記録モードが、EPで、最大記憶許容容量：１時間に対して、コンテンツの記録に必要な記憶容量（LP換算時）が、0.5時間なるので、そのまま再圧縮せずに記録する。
【００６３】
以上、本発明の実施の形態３に係るコンテンツ記録システムによれば、取得したコンテンツは、グループ分けが行われるとともに予め受付けたそのグループの最大記憶許容容量に応じて、超えている場合であれば、その容量に収まるようにそのグループ内の圧縮率を調整する。容量受付手段８にて指示するために４つのグループの許容容量の指示に必要となる操作だけで、９つのコンテンツの記録に必要となる操作と比べて、操作数を減らすことができる。このように、本コンテンツ記録システムにおいては、ユーザに記憶容量の調整を、随時、行いながらコンテンツを移動するという煩雑な作業を自動化でき、その利便性は従来のものと比べ大幅に改善できる。また、グループ毎に圧縮率を調整できるため、画質にこだわらないグループは最大許容記憶容量を一括して小さくでき、記録時の利便性を向上できる。
【００６４】
（実施の形態４）
次に、実施の形態４では、さらに各グループ内でコンテンツ毎に圧縮率を調整可能とするコンテンツ記録システムを説明する。
【００６５】
図１６は、本発明の実施の形態４におけるコンテンツ記録システムの構成図である。
本コンテンツ記録システムは、実施の形態３の取得手段１、検出手段２、容量受付手段８、圧縮符号化変換手段４、記憶手段５、制御手段６に加え、コンテンツ順位取得手段９を構成に加えたものである。
【００６６】
次に、実施例１、２、３で用いた図６、１２、１３と後述する図１７、１８をさらに参照して、上記構成によるコンテンツ記録システムで制御手段６にて行われる動作を説明する。
【００６７】
図１７は、コンテンツ順位取得手段９にて受け付けた指示内容の例である。コンテンツ毎に、そのコンテンツが属するグループ内での優先順位を示す。スポーツ番組１、スポーツ番組２は、ジャンル名：スポーツのグループに属するコンテンツであり、各コンテンツ間優先順位は、スポーツ番組１が２、スポーツ番組２が１であるとする。トーク番組１、クイズ番組１、音楽番組１は、ジャンル名：バラェティのグループに属するコンテンツであり、各コンテンツの優先順位は、トーク番組１が３、クイズ番組１が２、音楽番組１が１であるとする。ドラマ１、ドラマ２、ドラマ３は、ジャンル名：ドラマのグループに属するコンテンツであり、各コンテンツの優先順位は、ドラマ１が１、ドラマ２が３、ドラマ３が２である。ニュース番組１は、ジャンル名：そのたのグループに属するコンテンツであり、コンテンツの優先順位は、ニュース番組１が１である。
【００６８】
図１８は、本実施例で示した条件にてコンテンツを記録した場合の記憶手段５での記録状態を模式的に示したものである。
【００６９】
先の実施の形態３で示した図１２の制御フローに対し、本実施の形態４では、「Ｓ４０１  記憶許容容量を受付」の処理に対し、コンテンツ順位の受付が新たに加わり、図１７に示すようなコンテンツの順位を受付けているものとする。
【００７０】
Ｓ４０３、Ｓ４０４、Ｓ４０５、Ｓ４０６および、Ｓ４０３、Ｓ４０４、Ｓ４０６の取得したコンテンツに対する記録処理は、以下のように行われる。
【００７１】
ジャンル名：スポーツのグループのコンテンツ：スポーツ番組１、スポーツ番組２は、記録モードが、それぞれ、LP、LPで、コンテンツ順位が、スポーツ番組２（コンテンツ順位：１）、スポーツ番組１（コンテンツ順位：２）の順にコンテンツ順位が指示されている。最大記憶許容容量：４時間に対して、コンテンツの記録に必要な記憶容量（LP換算時）が、２時間＋２時間＝４時間となるので、そのまま圧縮せずに記録する。
【００７２】
ジャンル名：バラェティのグループのコンテンツ：トーク番組１、クイズ番組１、音楽番組１は、記録モードが、それぞれ、SP、LP、SPで、コンテンツ順位が、トーク番組１（コンテンツ順位：３）、クイズ番組１（コンテンツ順位：２）、音楽番組１（コンテンツ順位：１））の順にコンテンツ順位が指示されている。最大記憶許容容量：２時間に対して、コンテンツの記録に必要な記憶容量（LP換算時）が、１時間＋１時間＋１時間＝３時間となるので、３つのコンテンツをコンテンツ順位の低い方から、順次、圧縮率をあげる。それぞれ、トーク番組１のSPをLPに、クイズ番組LPをEPに、音楽番組SPをLPにする。３つのコンテンツ全て圧縮率の調整を行うことにより、はじめて、必要な記憶容量が、１/（４/２）時間＋１/(８/４）時間＋１/（４/２）＝１．５時間となり、最大許容容量：２時間内に収まる。
【００７３】
ジャンル名：ドラマのグループのコンテンツ：ドラマ１、ドラマ２、ドラマ３は、記録モードが、それぞれ、LP、LP、LPで、コンテンツ順位が、ドラマ１（コンテンツ順位：１）、ドラマ２（コンテンツ順位：３）、ドラマ３（コンテンツ順位：２）の順にコンテンツ順位が指示されている。最大記憶許容容量：３時間に対して、コンテンツの記録に必要な記憶容量（LP換算時）が、１時間＋２時間＋１時間＝４時間となるので、３つのコンテンツをコンテンツ順位の低い方から、順次、圧縮率をあげる。それぞれ、ドラマ２のLPをEPに、ドラマ３のLPをEPにすることで、１/（８/４）時間＋２/(８/４）時間＋１＝２．５時間となり、はじめて、最大許容容量：３時間内に収まる。この圧縮率の調整により、必要な記憶容量が４時間から２．５時間になる。
【００７４】
ジャンル名：その他のグループのコンテンツ：ニュース番組１は、記録モードが、EPで、最大記憶許容容量：１時間に対して、コンテンツの記録に必要な記憶容量（LP換算時）が、0.5時間なので、そのまま圧縮せずに記録する。
【００７５】
以上、本発明の実施の形態４に係るコンテンツ記録システムによれば、取得したコンテンツは、グループ分けが行われるとともに、予め受付けたグループの最大記憶許容容量に対して、コンテンツ毎に、その記憶許容容量を超えている場合であれば、その容量に収まるように各コンテンツの圧縮率を調整するので、コンテンツの記録を要求して、コンテンツが記録できないケースをよりユーザの指示に即した減らし方ができる。このように、本コンテンツ記録システムにおいては、ユーザに記憶容量の調整を、随時、行いながらコンテンツを移動するという煩雑な作業を自動化でき、その利便性は従来のものと比べ大幅に改善できる。また、グループかつコンテンツ毎に圧縮率を調整できるため、グループの中でも画質にこだわらないコンテンツを効率よく圧縮でき、記録時の利便性を向上できる。
なお、本実施例では、別途コンテンツ順位を指定して動作させた動作例を示したが、コンテンツ情報の記録モードに連動して、コンテンツ順位を受付けてもよい（例：EPの場合に優先順位１、LPの場合に優先順位２等）。
【産業上の利用可能性】
【００７６】
本発明は、従来必要であったコンテンツ個別に必要となる圧縮、記録操作を、システム側で代替して行うことができるため、コンテンツの圧縮及び記録操作を行うシステムに適用可能である。具体的には、携帯電話端末やＤＶＤレコーダー等に適用できる。
【図面の簡単な説明】
【００７７】
【図１】実施の形態１における、コンテンツ記録システムの構成図
【図２】実施の形態１における、コンテンツ記録システムでの圧縮、記録処理手順の概略を示すフローチャート
【図３】実施の形態１における、グループ順位取得手段３にて受け付けた指示内容の例を示した図
【図４】実施の形態１の説明において用いる、取得可能なコンテンツとコンテンツ情報を示した図
【図５】実施の形態１の説明において用いる、検出手段２にて検出したコンテンツとそのコンテンツ情報、該当優先順位を示した図
【図６】実施の形態１における、記憶手段５に記録するコンテンツの記録モードを示した図
【図７】実施の形態１における、記憶手段５でのコンテンツの記録状態を示した模式図
【図８】実施の形態２における、コンテンツ記録システムの構成図
【図９】実施の形態２における、予約記録前後での記憶手段５でのコンテンツの記録状態を示した模式図
【図１０】実施の形態２における、予約受付手段７にて受け付けた指示内容の例を示した図
【図１１】実施の形態３におけるコンテンツ記録システムの構成図
【図１２】実施の形態３における、コンテンツ記録システムでの圧縮、記録処理手順の概略を示すフローチャート
【図１３】実施の形態３における、容量受付手段８にて受け付けた指示内容の例を示した図
【図１４】実施の形態３の説明において用いる、取得可能なコンテンツとコンテンツ情報を示した図
【図１５】実施の形態３における、記憶手段５でのコンテンツの記録状態を示した模式図
【図１６】実施の形態４における、コンテンツ記録システムの構成図
【図１７】実施の形態４における、コンテンツ順位取得手段９にて受け付けた指示内容の例を示した図
【図１８】実施の形態４における、記憶手段５でのコンテンツの記録状態を示した模式図
【符号の説明】
【００７８】
１    取得手段
２    検出手段
３    グループ順位取得手段
４    圧縮符号化変換手段
５    記憶手段
６    制御手段
７    予約受付手段
８    容量受付手段
９    コンテンツ順位取得手段
【図１】
2007273020.tif 000003
【図２】
2007273020.tif 000004
【図３】
2007273020.tif 000005
【図４】
2007273020.tif 000006
【図５】
2007273020.tif 000007
【図６】
2007273020.tif 000008
【図７】
2007273020.tif 000009
【図８】
2007273020.tif 000010
【図９】
2007273020.tif 000011
【図１０】
2007273020.tif 000012
【図１１】
2007273020.tif 000013
【図１２】
2007273020.tif 000014
【図１３】
2007273020.tif 000015
【図１４】
2007273020.tif 000016
【図１５】
2007273020.tif 000017
【図１６】
2007273020.tif 000018
【図１７】
2007273020.tif 000019
【図１８】
2007273020.tif 000020